(57)【要約】【課題】下敷きの付加価値をより向上させる。【解決手段】第１シート１２と第２シート２４とを含む下敷き１０は、第２シート２４が、第１シート１２に重ねられた状態から、第１シート１２の上辺部を基端として捲り上げ可能に取り付けられている。第２シート２４は、第１シート１２との間に挟み込んだ筆記帳４０の頁４２に記載された情報４４の視認性を抑制する視認性抑制手段２８が、透明の部材に付与されて構成されている。従って、下敷き１０は、二重シート構造での下敷き、又は第１シート１２単独での下敷きとして利用されるだけでなく、第２シート２４により筆記帳４０の任意の頁４２を覆うことによって、その頁４２に記載された情報４４の視認性を抑制することができる。このため、記載された情報４４の視認性を事後的に制御するといった付加価値を付加し、下敷き１０の付加価値をより向上させることができる。【選択図】図２
0003207703.tif 000002
【実用新案登録請求の範囲】
【請求項１】
筆記帳に用いられる平面視矩形の下敷きであって、
第１シートと第２シートとを含み、
該第２シートは、前記第１シートの表面側に重ねられた被覆状態から、前記第１シートの上辺部を基端として捲り上げ可能に、前記第１シートの上辺部に対して、前記第２シートの上辺部が取り付けられると共に、前記第１シートとの間に前記筆記帳の情報記載頁を挟み込んだ状態で、前記情報記載頁に記載された情報の視認性を抑制する視認性抑制手段が、透明の部材に付与されて構成されていることを特徴とする下敷き。
【請求項２】
前記第２シートは、前記視認性抑制手段として柄印刷が施されていることを特徴とする請求項１記載の下敷き。
【請求項３】
前記第２シートは、前記視認性抑制手段として着色が施されていることを特徴とする請求項１又は２記載の下敷き。
【請求項４】
前記第１シートの上辺部の少なくとも一部に、前記第２シートの取り付け部分よりも平面方向に突出したインデックス部が設けられていることを特徴とする請求項１から３のいずれか１項記載の下敷き。
【請求項５】
前記第１シートの下辺部の少なくとも一部に、前記被覆状態の前記第２シートの下辺部よりも平面方向に突出したフッター部が設けられていることを特徴とする請求項１から４のいずれか１項記載の下敷き。
【請求項６】
平面視で、前記第１シートの上辺部と前記被覆状態の前記第２シートの上辺部との同位置に、上辺側に開口した切欠きが設けられていることを特徴とする請求項１から５のいずれか１項記載の下敷き。
【請求項７】
前記第１シートの、右辺部と左辺部と下辺部との少なくとも何れか１つに、直線定規の目盛が印刷されていることを特徴とする請求項１から６のいずれか１項記載の下敷き。
【請求項８】
前記第１シートに方眼が印刷されていることを特徴とする請求項１から７のいずれか１項記載の下敷き。
【請求項９】
前記第１シートと前記第２シートとがポリプロピレン製であることを特徴とする請求項１から８のいずれか１項記載の下敷き。
【考案の詳細な説明】
【技術分野】
【０００１】
本考案は、筆記帳に用いられる下敷きに関するものである。
【背景技術】
【０００２】
手帳やノート等を含む筆記帳に用いられる下敷きとして、例えば、特許文献１に記載されたような下敷きが発案されている。特許文献１の下敷きは、罫線が付与されていることで、筆記帳への記入の補助を行うものである。
【先行技術文献】
【特許文献】
【０００３】
【特許文献１】特開２０１１−１５６８５０号公報
【考案の概要】
【考案が解決しようとする課題】
【０００４】
ここで、上述したような下敷きには、更に別の機能を与えることで、付加価値をより一層向上させる余地がある。
本考案は上記課題に鑑みてなされたものであり、その目的とするところは、下敷きの付加価値をより向上させることにある。
【課題を解決するための手段】
【０００５】
（考案の態様）
以下の考案の態様は、本考案の構成を例示するものであり、本考案の多様な構成の理解を容易にするために、項別けして説明するものである。各項は、本考案の技術的範囲を限定するものではなく、考案を実施するための最良の形態を参酌しつつ、各項の構成要素の一部を置換し、削除し、又は、更に他の構成要素を付加したものについても、本願考案の技術的範囲に含まれ得るものである。
【０００６】
（１）筆記帳に用いられる平面視矩形の下敷きであって、第１シートと第２シートとを含み、該第２シートは、前記第１シートの表面側に重ねられた被覆状態から、前記第１シートの上辺部を基端として捲り上げ可能に、前記第１シートの上辺部に対して、前記第２シートの上辺部が取り付けられると共に、前記第１シートとの間に前記筆記帳の情報記載頁を挟み込んだ状態で、前記情報記載頁に記載された情報の視認性を抑制する視認性抑制手段が、透明の部材に付与されて構成されている下敷き（請求項１）。
【０００７】
本項に記載の下敷きは、手帳、ノート、メモ帳、帳面等といった筆記帳に用いられるものであり、平面視矩形で、第１シートと第２シートとの二重のシート構造を有している。そして、第１シートの表面側に第２シートが重ねられた状態で、第１シートの上辺部に対して、第２シートの上辺部が取り付けられている。このため、第２シートは、第１シートに重ねられた被覆状態から、第２シートの下辺部から上辺部へと向かって、第１シートの上辺部を基端として捲り上げ可能になっている。このような構造であるため、本項に記載の下敷きは、第１シートと第２シートとの双方が筆記帳の任意の同じ頁間に差し込まれる態様で、或いは、第１シートと第２シートとの間に筆記帳の任意の頁が挟み込まれる態様で、筆記帳に差し込まれて使用される。
【０００８】
更に、第２シートは、透明の部材に視認性抑制手段が付与されて構成されている。この視認性抑制手段は、第１シートと第２シートとの間に、筆記帳の任意の頁を挟み込んだ状態で、その頁に記載された情報の視認性を抑制するものである。従って、第１シートと第２シートとの間に挟み込まれた頁に記載された情報は、第２シートに付与された視認性抑制手段によって、視認性が抑制される。このように、本項に記載の下敷きは、第１シートと第２シートとの二重シート構造での下敷き、或いは、第１シート単独での下敷きとして利用されるだけでなく、第２シートにより筆記帳の任意の頁を覆うことによって、その頁に記載された情報の視認性を抑制するため、記載された情報の視認性を事後的に制御するといった付加価値が付加されているものである。
【０００９】
（２）上記（１）項において、前記第２シートは、前記視認性抑制手段として柄印刷が施されている下敷き（請求項２）。
本項に記載の下敷きは、第２シートが、透明の部材に、視認性抑制手段として柄印刷が施されて構成されているものである。ここでの柄印刷には、ドット柄、縞模様、同一の記号や絵を規則的又は不規則に連続して配置した柄、複数の異なる絵を配置した柄といった、任意の柄の印刷を含んでいる。このため、透明部材に柄印刷が施された第２シートは、筆記帳の任意頁を覆うことによって、その頁に記載された情報の一部を柄によって隠しつつ、柄が印刷されていない透明部分に重なる一部の情報は隠さない。これにより、内容の判別ができない程度まで、記載情報の視認性を抑制しながらも、例えば、情報が隠された相手に与える不快感（疎外感）が、情報の全体を不透明部材で隠す場合よりも軽減される。従って、第２シートが、簡易的な情報保護シートとして用いられるものとなる。
【００１０】
（３）上記（１）（２）項において、前記第２シートは、前記視認性抑制手段として着色が施されている下敷き（請求項３）。
本項に記載の下敷きは、第２シートが、透明の部材に、視認性抑制手段として着色が施されて構成されているものである。すなわち、第２シートは、例えば赤色や青色等の着色が施されて、所謂半透明の状態になる。これにより、第２シートは、筆記帳の任意頁を覆うことによって、その頁に記載された情報のうち、第２シートの色に対応した特定の色が重ね塗りされた情報や、第２シートの色と同系統の色で記載された情報のみを隠すことになる。このため、半透明の第２シートを被せることを念頭に、第２シートの色に対応した特定の色や同系統の色を利用して、筆記帳に情報を記載することで、第２シートによって任意の情報のみが隠される。従って、例えば学習等に用いる筆記帳に利用されることにより、学習等を効率よく行うためのツールとして使用されるものである。なお、上記（２）項に記載した柄印刷と、本項に記載した着色との双方が、第２シートに施されていてもよい。
【００１１】
（４）上記（１）から（３）項において、前記第１シートの上辺部の少なくとも一部に、前記第２シートの取り付け部分よりも平面方向に突出したインデックス部が設けられている下敷き（請求項４）。
本項に記載の下敷きは、第１シートの上辺部の少なくとも一部にインデックス部が設けられており、このインデックス部は、第２シートの取り付け部分よりも平面方向に突出しているため、被覆状態の第２シートによって覆われることがないものである。このため、このインデックス部に、下敷きの使用者に対して視認を促したい任意の情報、例えば、企業名や商品名を印刷することとすれば、企業名や商品名を浸透させるための販促品として利用されるものとなる。又、インデックス部は、本下敷きが筆記帳に挟み込まれた状態であっても、筆記帳の上端から突出し易い位置にあり、特に、第１シートと第２シートとの間に頁を挟み込んでいる状態では、筆記帳の上端から確実に突出する。このため、本項に記載の下敷きは、しおり等の代わりとして利用されるものともなる。
【００１２】
（５）上記（１）から（４）項において、前記第１シートの下辺部の少なくとも一部に、前記被覆状態の前記第２シートの下辺部よりも平面方向に突出したフッター部が設けられている下敷き（請求項５）。
本項に記載の下敷きは、第１シートの下辺部の少なくとも一部にフッター部が設けられており、このフッター部は、被覆状態の第２シートの下辺部よりも平面方向に突出しているため、被覆状態の第２シートによって覆われることがないものである。このため、このフッター部に、下敷きの使用者に対して視認を促したい任意の情報、例えば、企業名や商品名を印刷することとすれば、企業名や商品名を浸透させるための販促品として利用されるものとなる。
【００１３】
（６）上記（１）から（５）項において、平面視で、前記第１シートの上辺部と前記被覆状態の前記第２シートの上辺部との同位置に、上辺側に開口した切欠きが設けられている下敷き（請求項６）。
本項に記載の下敷きは、平面視で、第１シートの上辺部と被覆状態の第２シートの上辺部との同位置に、上辺側に開口した、例えば半円形等の切欠きが設けられているものである。すなわち、この切欠きは、第１シートに対する第２シートの取り付け部分を含む位置に、第１シートと第２シートとの双方を切欠いて設けられている。このため、この切欠きによって、上辺側から第１シートと第２シートとの間に通じる通路が形成される。従って、例えば、筆記帳への記載に用いるペン類のペンクリップ等が切欠きに差し込まれることで、ペン類が本下敷き、延いては筆記帳へ留められることとなる。
【００１４】
（７）上記（１）から（６）項において、前記第１シートの、右辺部と左辺部と下辺部との少なくとも何れか１つに、直線定規の目盛が印刷されている下敷き（請求項７）。
本項に記載の下敷きは、平面視矩形の第１シートの、上辺部を除く３辺、すなわち、右辺部と左辺部と下辺部との少なくとも何れか１つに、直線定規の目盛が印刷されていることで、長さの測定や直線の線引きに用いる直線定規の代わりとして利用されるものである。なお、第２シートに視認性抑制手段として柄印刷が施されている場合は、被覆状態の第２シートの、第１シートに印刷された目盛を覆う部分には、目盛の視認性が低下しないように、柄印刷を施さないことが好ましい。一方、第２シートに視認性抑制手段として着色が施されている場合は、第２シートの着色箇所が第１シートの目盛に重なった状態で、その着色の色や色の濃さが、第１シートの目盛が視認可能な色や範囲であれば、第２シートの、第１シートの目盛を覆う部分に着色が施されていても問題はない。
【００１５】
（８）上記（１）から（７）項において、前記第１シートに方眼が印刷されている下敷き（請求項８）。
本項に記載の下敷きは、第１シートに方眼が印刷されていることで、例えば、第１シートと第２シートとの間に挟み込んだ筆記帳の頁に対して、第２シートを捲り上げた状態で情報を書き込む際に、挟み込んだ頁を透かして第１シートの方眼が視認される。このため、筆記帳の頁に文字や図形等を書き込む際の配置の目安に、方眼が利用されることとなる。
【００１６】
（９）上記（１）から（８）項において、前記第１シートと前記第２シートとがポリプロピレン製である下敷き（請求項９）。
本項に記載の下敷きは、第１シートと第２シートとの双方が、比較的入手が容易で、強度や耐久性が高いポリプロピレン製であることで、コストを抑制しつつ、下敷きとして十分に機能する強度や耐久性を確保するものである。
【考案の効果】
【００１７】
本考案は上記のような構成であるため、下敷きの付加価値をより向上させることが可能となる。
【図面の簡単な説明】
【００１８】
【図１】本考案の実施の形態に係る下敷きの平面図である。
【図２】図１の下敷きの利用方法を説明するためのイメージ図である。
【図３】本考案の実施の形態に係る下敷きの、図１と異なる形態を例示する平面図である。
【考案を実施するための形態】
【００１９】
以下、本考案を実施するための形態を、添付図面に基づき説明する。なお、図面の全体にわたって、同一部分又は対応する部分は、同一符号で示している。なお、本明細書における「平面視矩形」とは、平面視で、上辺、下辺、右辺、左辺の４辺を有する形状であればよく、それらの各辺に切欠きや突出が設けられている形状や、各辺間の頂角が丸みを帯びた形状であっても、「平面視矩形」の範囲に含まれるものとする。
【００２０】
図１は、本考案の実施の形態に係る下敷き１０を模式的に示す平面図である。図示のように、下敷き１０は、平面視矩形のものであり、平面視矩形の第１シート１２及び第２シート２４を含む、二重のシート構造を有している。第１シート１２は、ポリプロピレン製の白色シートであり、第２シート２４は、ポリプロピレン製の透明シートである。そして、第２シート２４は、第１シート１２の表面側に重ねられた状態で、第２シート２４の上辺部２４ａが、第１シートの上辺部１２ａに対して、例えば、溶着、粘着テープ、接着材等の適切な手段によって取り付けられている。このため、第２シート２４は、その下辺部２４ｂから上辺部２４ａに向かって、第１シート１２への取り付け部分２６を基端として捲り上げ可能になっている（図２参照）。なお、図１に示されている下敷き１０の状態は、第２シート２４が第１シート１２の表面側に重ねられた被覆状態である。
【００２１】
第１シート１２は、上辺部１２ａの少なくとも一部、本実施例では図１における左側部分に、第２シート２４の取り付け部分２６よりも平面方向（図１における上方向）へ突出したインデックス部１４を備えている。更に、第１シート１２は、下辺部１２ｂの少なくとも一部に、被覆状態の第２シート２４の下辺部２４ｂよりも平面方向（図１における下方向）へ突出したフッター部１６を備えている。本実施例では、第１シート１２の下辺部１２ｂの全体が、第２シート２４の下辺部２４ｂよりも平面方向に突出しており、下辺部１２ｂの全体にわたってフッター部１６が設けられている。又、第１シート１２には、直線定規の目盛１８と、方眼２０とが印刷されている。本実施例では、第１シート１２の右辺部１２ｃに目盛１８が印刷されており、上辺部１２ａ近傍を除く第１シート１２の略全面にわたって方眼２０が印刷されているが、目盛１８が第１シート１２の下辺部１２ｂや左辺部１２ｄに印刷されていてもよく、方眼２０の印刷範囲も任意である。
【００２２】
一方、第２シート２４には、視認性抑制手段２８が付与されている。本実施例では、第２シート２４の、第１シート１２への取り付け部分２６近傍の領域と、被覆状態で第１シート１２の目盛１８に重なる領域とを除いた略全面に、視認性抑制手段２８としてドット柄の柄印刷２８Ａが施されている。又、第２シート２４の上辺部２４ａと、第１シート１２の上辺部１２ａとの、平面視での同位置に、取り付け部分２６の一部を切り欠くようにして、図１における上方向へ開口する半円形の切欠き３０が設けられている。このため、切欠き３０は、第１シート１２と第２シート２４との間の隙間に通じる開口部となる。更に、第２シート２４には、第２シート２４が捲り上げられた場合等に、第１シート１２から第２シート２４が剥がれるような方向に、取り付け部分２６に対して加わる力を軽減するための、切欠き３２及び切欠き３４が設けられている。
【００２３】
次に、図２を参照して、本考案の実施の形態に係る下敷き１０の使用方法について説明する。図２（ａ）に示すように、下敷き１０は、第２シート２４が、取り付け部分２６を基端として、下辺部２４ｂから上辺部２４ａへ向かって捲り上げ可能であるため、例えば、図２（ｂ）に示すような状態で、筆記帳４０に差し込まれて使用される。すなわち、図２（ｂ）の状態では、第１シート１２と第２シート２４との間に筆記帳４０の頁４２を挟み込むようにして、頁４２の下面側と上面側との夫々に、第１シート１２と第２シート２４とが差し込まれている。このため、頁４２の上面側が第２シート２４によって覆われ、頁４２に記載された情報４４が、第２シート２４の柄印刷２８Ａによって隠されている。更に、図２（ｂ）の状態では、インデックス部１４が筆記帳４０の上端よりも突出しており、又、第１シート１２と第２シート２４との間の隙間に通じる切欠き３０の開口部が、僅かに開く状態になる。なお、図２（ｂ）の状態から筆記帳４０の頁４２に記載する場合には、第２シート２４を捲り上げればよい。又、本考案の実施の形態に係る下敷き１０は、第１シート１２と第２シート２４との双方が、筆記帳４０の頁４２の下面側に差し込まれた状態で、通常の下敷きとして使用されてもよい。
【００２４】
ここで、本実施例における下敷き１０の大きさは、インデックス部１４及びフッター部１６を含む第１シート１２の大きさが、横１２２ｍｍ、縦２１６ｍｍ、厚さ０．５ｍｍであり、切欠き部３０、３２、３４を除く第２シート２４の大きさが、横１２２ｍｍ、縦１９３ｍｍ、厚さ０．２ｍｍである。このため、主にＡ５〜Ｂ６サイズの筆記帳に対応しているが、これらの大きさに限定されるものではない。又、第２シート２４の両面は、第１シート１２の表面よりも滑らかになっており、図２（ｂ）に示すような状態で、第２シート２４が頁４２に対して捲り易く、又、第１シート１２が筆記帳４０に対して滑り難くなっている。
【００２５】
続いて、図３には、図１に示した実施例と異なる、本考案の実施の形態に係る下敷き６０、７０を示している。図３（ａ）に示す下敷き６０は、第２シート２４に施される柄印刷２８Ａとして、シマウマのゼブラ柄が用いられており、更に、第１シート１２のインデックス部１４に、シマウマの尾をイメージした絵が印刷されている。又、下敷き６０は、第１シート１２に、目盛１８が印刷されているものの、図１に示したような方眼２０が印刷されていない。このように、第２シート２４に対して、視認性抑制手段２８として施す柄印刷２８Ａには、模様、記号、絵等を含む任意の柄を使用してよく、又、第１シート１２の、インデックス部１４やフッター部１６を含む各箇所への印刷内容や、印刷の有無も任意である。
【００２６】
他方、図３（ｂ）に示す下敷き７０は、第２シート２４に対して、視認性抑制手段２８として着色２８Ｂが施されており、第２シート２４が半透明になっているものである。この下敷き７０は、主に学習用の筆記帳４０に用いられるものであり、学習用の筆記帳４０の頁４２に記載された、着色２８Ｂの色に対応する特定の色が重ね塗りされた情報４４や、着色２８Ｂの色と同系統の色で記載された情報４４が、着色２８Ｂによって隠される。このように、第２シート２４に付与される視認性抑制手段２８は、柄印刷２８Ａに限定されるものではなく、着色２８Ｂであってもよいものである。又、主に学習の用途に用いられる下敷き７０には、第１シート１２に、直線定規の目盛１８や方眼２０に加えて、分度器や三角定規等の図が印刷されていてもよい。更に、図１、図２、図３（ａ）に示したような柄印刷２８Ａと、着色２８Ｂとの双方が、第２シート２４に施されていてもよい。
【００２７】
さて、上記構成をなす本考案の実施の形態によれば、次のような作用効果を得ることが可能である。すなわち、本考案の実施の形態に係る下敷き１０は、図１及び図２に示すように、平面視矩形で、第１シート１２と第２シート２４との二重のシート構造を有しており、手帳、ノート、メモ帳、帳面等といった筆記帳４０に用いられるものである。そして、第１シート１２の表面側に第２シート２４が重ねられた状態で、第１シート１２の上辺部１２ａに対して、第２シート２４の上辺部２４ａが取り付けられている。このため、第２シート２４は、第１シート１２に重ねられた被覆状態から、第２シート２４の下辺部２４ｂから上辺部２４ａへと向かって、第１シート１２の上辺部１２ａを基端として捲り上げ可能になっている。このような構造であるため、下敷き１０は、第１シート１２と第２シート２４との双方が筆記帳４０の任意の同じ頁間に差し込まれる態様で、或いは、図２（ｂ）に示すように、第１シート１２と第２シート２４との間に筆記帳４０の任意の頁４２が挟み込まれる態様で、筆記帳４０に差し込まれて使用される。
【００２８】
更に、第２シート２４は、透明の部材に視認性抑制手段２８が付与されて構成されている。この視認性抑制手段２８は、第１シート１２と第２シート２４との間に、筆記帳４０の任意の頁４２を挟み込んだ状態で、その頁４２に記載された情報４４の視認性を抑制するものである。従って、第１シート１２と第２シート２４との間に挟み込まれた頁４２に記載された情報４４は、第２シート２４に付与された視認性抑制手段２８によって、視認性が抑制される。このように、本考案の実施の形態に係る下敷き１０は、第１シート１２と第２シート２４との二重シート構造での下敷き、或いは、第１シート１２単独での下敷きとして利用されるだけでなく、第２シート２４により筆記帳４０の任意の頁４２を覆うことによって、その頁４２に記載された情報４４の視認性を抑制することができる。このため、記載された情報４４の視認性を事後的に制御するといった付加価値を付加し、下敷き１０の付加価値をより向上させることができる。
【００２９】
又、本考案の実施の形態に係る下敷き１０は、第２シート２４が、透明の部材に、視認性抑制手段２８として、図１及び図２の例ではドット柄の柄印刷２８Ａが施されて構成されているものである。このため、透明部材に柄印刷２８Ａが施された第２シート２４は、筆記帳４０の任意頁４２を覆うことによって、その頁４２に記載された情報４４の一部を柄によって隠しつつ、柄が印刷されていない透明部分に重なる一部の情報４４は隠さない。これにより、図２（ｂ）の右側の頁４２´に記載された情報４４と比較すると明らかなように、第２シート２４によって覆われた左側の頁４２に記載された情報４４の如く、内容の判別ができない程度まで、記載情報４４の視認性を抑制しながらも、例えば、情報４４が隠された相手に与える不快感（疎外感）を、情報４４の全体を不透明部材で隠す場合よりも軽減することができる。従って、第２シート２４を、簡易的な情報保護シートとして用いることが可能となる。
【００３０】
更に、本考案の実施の形態に係る下敷き１０は、第１シート１２の上辺部１２ａの少なくとも一部、図１の例では左辺部１２ｄ側に、インデックス部１４が設けられている。このインデックス部１４は、第２シート２４の取り付け部分２６よりも平面方向（図１における上方向）に突出しているため、被覆状態の第２シート２４によって覆われることがないものである。このため、このインデックス部１４に、下敷き１０の使用者に対して視認を促したい任意の情報、例えば、企業名や商品名を印刷することとすれば、企業名や商品名を浸透させるための販促品として利用することが可能となる。又、インデックス部１４は、本下敷き１０が筆記帳４０に挟み込まれた状態であっても、筆記帳４０の上端から突出し易い位置にあり、特に、図２（ｂ）に示すような、第１シート１２と第２シート２４との間に頁４２を挟み込んでいる状態では、筆記帳４０の上端から確実に突出する。このため、本考案の実施の形態に係る下敷き１０を、しおり等の代わりとして利用することも可能である。
【００３１】
又、本考案の実施の形態に係る下敷き１０は、第１シート１２の下辺部１２ｂの少なくとも一部、図１の例では下辺部１２ｂの全体に、フッター部１６が設けられている。このフッター部１６は、被覆状態の第２シート２４の下辺部２４ｂよりも平面方向（図１における下方向）に突出しているため、被覆状態の第２シート２４によって覆われることがないものである。このため、上述したインデックス部１４に加えて（或いは代えて）、このフッター部１６に、下敷き１０の使用者に対して視認を促したい任意の情報、例えば、企業名や商品名を印刷することとすれば、企業名や商品名を浸透させるための販促品として利用することができる。
【００３２】
又、本考案の実施の形態に係る下敷き１０は、平面視で、第１シート１２の上辺部１２ａと被覆状態の第２シート２４の上辺部２４ａとの同位置に、上辺側（図１における上側）に開口した、例えば半円形等の切欠き３０が設けられているものである。すなわち、この切欠き３０は、第１シート１２に対する第２シート２４の取り付け部分２６を含む位置に、第１シート１２と第２シート２４との双方を切欠いて設けられている。このため、この切欠き３０によって、上辺側から第１シート１２と第２シート２４との間に通じる通路が形成される。従って、例えば、図２（ｂ）のような下敷き１０の使用状態において、筆記帳４０への記載に用いるペン類のペンクリップ等を切欠き３０に差し込むことで、ペン類を本下敷き１０、延いては筆記帳４０へ留めることが可能となる。
【００３３】
更に、本考案の実施の形態に係る下敷き１０は、平面視矩形の第１シート１２の、上辺部１２ａを除く３辺の少なくとも何れか１つ、図１の例では右辺部１２ｃに、直線定規の目盛１８が印刷されていることで、長さの測定や直線の線引きに用いる直線定規の代わりとして利用することができる。なお、図１の例のように、第２シート２４に視認性抑制手段２８として柄印刷２８Ａが施されている場合は、被覆状態の第２シート２４の、第１シート１２に印刷された目盛１８を覆う部分には、目盛１８の視認性が低下しないように、柄印刷２８Ａを施さないことが好ましい。
【００３４】
又、本考案の実施の形態に係る下敷き１０は、第１シート１２に方眼２０が印刷されているものである。これにより、例えば、図２（ｂ）に示すように、第１シート１２と第２シート２４との間に挟み込んだ筆記帳４０の頁４２に対して、第２シート２４を捲り上げた状態で情報４４を書き込む際に、挟み込んだ頁４２を透かして第１シート１２の方眼２０を視認することができる。このため、筆記帳４０の頁４２に文字や図形等を書き込む際の配置の目安として、方眼２０を利用することが可能となる。
更に、本考案の実施の形態に係る下敷き１０は、第１シート１２と第２シート２４との双方が、比較的入手が容易で、強度や耐久性が高いポリプロピレン製であることで、コストを抑制しつつ、下敷きとして十分に機能する強度や耐久性を確保することができる。
【００３５】
他方、図３（ｂ）に示すように、本考案の実施の形態に係る下敷き７０は、第２シート２４が、透明の部材に、視認性抑制手段２８として着色２８Ｂが施されて構成されていてもよい。すなわち、第２シート２４は、例えば赤色や青色等の着色２８Ｂが施されて、所謂半透明の状態になる。これにより、第２シート２４は、筆記帳４０の任意頁４２を覆うことによって、その頁４２に記載された情報４４のうち、第２シート２４の色に対応した特定の色が重ね塗りされた情報４４や、第２シート２４の色と同系統の色で記載された情報４４のみを隠すことになる。このため、半透明の第２シート２４を被せることを念頭に、第２シート２４の色に対応した特定の色や同系統の色を利用して、筆記帳４０に情報４４を記載することで、第２シート２４によって任意の情報４４のみを隠すことができる。従って、本考案の実施の形態に係る下敷き７０を、例えば学習等に用いる筆記帳４０に利用することにより、学習等を効率よく行うためのツールとして使用することが可能となる。なお、図３（ｂ）の例のように、第２シート２４の着色箇所が第１シート１２の目盛１８に重なった状態で、その着色の色や色の濃さが、目盛１８が視認可能な色や濃さの範囲であれば、第２シート２４の、目盛１８を覆う部分に着色が施されていても問題はない。
【符号の説明】
【００３６】
１０、６０、７０：下敷き、１２：第１シート、１２ａ：上辺部、１２ｂ：下辺部、１２ｃ：右辺部、１２ｄ：左辺部、１４：インデックス部、１６：フッター部、１８：目盛、２０：方眼、２４：第２シート、２４ａ：上辺部、２４ｂ：下辺部、２６：取り付け部分、２８：視認性抑制手段、２８Ａ：柄印刷、２８Ｂ：着色、３０：切欠き、４０：筆記帳、４２：頁、４４：情報
【図２】
0003207703.tif 000003
【図１】
0003207703.tif 000004
【図３】
0003207703.tif 000005